(57)【特許請求の範囲】
【請求項１】
光源モジュール部の一部を収容する第１開口部及び光源駆動部の一部を収容する第２開口部が形成された本体部と、
前記第１開口部に配置される第１端子、及び前記第１端子から延長されて前記第２開口部に配置される第２端子を含む端子部と、を含み、
前記第１開口部は前記本体部の上面に形成され、
前記第２開口部は前記上面に直交する前記本体部の側面の下部に形成され、
前記第１開口部は第１開口及び第２開口を含み、
前記第１開口は、前記本体部の上面及び前記上面に接する第１の側面に開口され、前記第２開口は、前記本体部の上面及び、前記上面に接し且つ前記第１の側面に対抗する第２の側面に開口されている、ことを特徴とする光源モジュール用コネクタ。
【請求項２】
前記第１開口部は前記本体部の少なくとも１つの側面に形成され、
前記第２開口部は前記第１開口部が形成された側面に直交する他の側面に形成されることを特徴とする請求項１に記載の光源モジュール用コネクタ。
【請求項３】
前記本体部の上部は前記本体部の下部に比べて平面方向の形状が大きいことを特徴とする請求項１に記載の光源モジュール用コネクタ。
【請求項４】
前記本体部の下部は前記下部の側面から突出する固定部材をさらに含むことを特徴とする請求項１に記載の光源モジュール用コネクタ。
【請求項５】
前記第１端子は前記光源モジュール部の前記一部の一面に接触し、
前記第２端子は前記光源駆動部の前記一部の両面に接触することを特徴とする請求項１に記載の光源モジュール用コネクタ。
【発明の詳細な説明】
【技術分野】
【０００１】
本発明は、光源モジュール用コネクタ及びそれを含むバックライトアセンブリに係り、特に接続構造を単純化して製造費用を節減し、信頼性を向上できる光源モジュール用コネクタ及びそれを含むバックライトアセンブリに関する。
【背景技術】
【０００２】
一般的に、液晶表示装置は厚さが薄く重さが軽くて、電力消耗が低い長所があるので、モニター、ノートブック、携帯電話、テレビなどに広く用いられる。液晶表示装置は液晶の光透過率を用いて画像を表示する液晶表示パネル及び液晶表示パネルの下部に配置されて液晶表示パネルに光を提供するバックライトアセンブリを含む。
【０００３】
バックライトアセンブリは液晶表示パネルに画像を表示するのに必要な光を発生する複数の光源を含む。この光源は冷陰極蛍光ランプ（ｃｏｌｄ  ｃａｔｈｏｄｅ  ｆｌｕｏｒｅｓｃｅｎｔ  ｌａｍｐ、ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ、ＥＥＦＬ）、平板蛍光ランプ（ｆｌａｔ  ｆｌｕｏｒｅｓｃｅｎｔ  ｌａｍｐ、ＦＦＬ）、発光ダイオード（ｌｉｇｈｔ  ｅｍｉｔｔｉｎｇ  ｄｉｏｄｅ、ＬＥＤ）等のいずれかからなる。
【０００４】
近年では、消費電力が低く環境汚染を招かないＬＥＤが広く用いられている。バックライトアセンブリは複数のＬＥＤモジュール及びＬＥＤモジュールを駆動する駆動回路部を含む。一般的に、駆動回路部はボトムシャーシの外部に配置される。
【０００５】
ＬＥＤモジュールの入力端子と駆動回路部の出力端子とを接続するためにコネクタ及び配線が用いられる。配線による組立工程の増加及び配線をバックライトアセンブリに固定するためのテープ及び構造物は製造費用の上昇の原因となる。また、配線によって電気的な干渉が起こり、構造物との接触によって配線の被覆が剥げてバックライトアセンブリと従って液晶表示装置全体の信頼性を低下し、発火を誘発することもありうる。
【発明の概要】
【発明が解決しようとする課題】
【０００６】
そこで、本発明の技術的課題はこのような問題点に鑑みて生じたものであって、本発明の目的は接続構造を単純化して製造費用を節減し、信頼性を向上できる光源モジュール用コネクタを提供することにある。
【０００７】
本発明の他の目的はそのような光源モジュール用コネクタを含むバックライトアセンブリを提供することにある。
【課題を解決するための手段】
【０００８】
前記目的を達成するための本発明の一実施形態に係る光源モジュール用コネクタは本体部及び端子部を含む。前記本体部には光源モジュール部の一部を収容する第１開口部及び光源駆動部の一部を収容する第２開口部が形成される。前記端子部は前記第１開口部に配置される第１端子、及び前記第１端子から延長されて前記第２開口部に配置される第２端子を含む。
【０００９】
本発明の一実施形態において、前記第１開口部は前記本体部の上面に形成され、前記第２開口部は前記上面に直交する前記本体部の側面に形成されてもよい。
【００１０】
本発明の一実施形態において、前記第１開口部は第１開口及び第２開口を含んでもよい。
【００１１】
本発明の一実施形態において、前記第１開口部は前記本体部の少なくとも一つの側面に形成され、前記第２開口部は前記の側面に直交する他の側面に形成されてもよい。
【００１２】
本発明の一実施形態において、前記第１開口部は第１側面に配置される第１開口及び前記第１側面と対向する第２側面に配置される第２開口を含んでもよい。
【００１３】
本発明の一実施形態において、前記第１及び第２開口は前記本体部の上面に延長されてもよい。
【００１４】
本発明の一実施形態において、前記本体部の上部は前記本体部の下部に比べて平面方向の形状が大きくてもよい。
【００１５】
本発明の一実施形態において、前記本体部の下部は前記下部の側面から突出する固定部材をさらに含んでもよい。
【００１６】
本発明の一実施形態において、前記第１端子は前記光源モジュール部の一面に接触してもよい。前記第２端子は前記光源駆動部の両面に接触してもよい。
【００１７】
前記他の目的を実現するための本発明の一実施形態に係るバックライトアセンブリは光源モジュール部、ボトムシャーシ、光源駆動部及びコネクタを含む。前記光源モジュール部は、光源基板及び前記光源基板上に配置される複数の発光ダイオードを含む。前記ボトムシャーシは前記光源モジュール部の下方に配置されて、前記光源モジュール部を収容する。前記光源駆動部は前記ボトムシャーシの底面と向かい合うように配置されて、前記光源モジュール部を駆動する。前記コネクタは本体部及び端子部を含む。前記本体部には光源モジュール部の一部を収容する第１開口部及び光源駆動部の一部を収容する第２開口部が形成される。前記端子部は前記第１開口部に配置される第１端子及び前記第１端子から延長されて前記第２開口部に配置される第２端子を含む。
【００１８】
本発明の一実施形態において、前記光源モジュール部は前記発光ダイオードが配置される光源部及び前記光源部から延長されて、前記発光ダイオードを駆動するための入力端子が配置される光源端子部を含んでもよい。
【００２０】
本発明の一実施形態において、前記光源端子部は第１光源モジュールに配置される第１光源端子部及び第２光源モジュールに配置される第２光源端子部を含んでもよい。前記第１開口部は前記第１光源端子部を収容する第１開口及び前記第２光源端子部を収容する第２開口を含んでもよい。
【００２２】
本発明の一実施形態において、前記光源端子部は第１光源モジュールに配置される第１光源端子部及び第２光源モジュールに配置される第２光源端子部を含んでもよい。前記第１開口部は前記本体部の第１側面に配置されて第１光源端子部を収容する第１開口及び前記第１側面と対向する前記本体部の第２側面に配置されて第２光源端子部を収容する第２開口を含んでもよい。
【００２３】
本発明の一実施形態において、前記第１及び第２開口は前記本体部の上面に延長されてもよい。
【００２５】
本発明の一実施形態において、前記発光ダイオードストリング内で前記光源端子部から最も近く配置される第１発光ダイオードのアノード（＋）は前記光源モジュール部の前記入力端子に接続されてもよい。
【００２６】
本発明の一実施形態において、前記光源モジュール部は複数の前記発光ダイオードストリングを含んでもよい。
【００２７】
本発明の一実施形態において、前記光源駆動部は前記発光ダイオードストリングに流れる電流を一定に維持するためのバランシング回路を含んでもよい。前記バランシング回路は前記コネクタを通じて前記第１発光ダイオードの前記アノード（＋）に接続されてもよい。
【００２８】
本発明の一実施形態において、前記発光ダイオードストリング内で前記光源端子部から最も遠く配置される第２発光ダイオードのカソード（−）は前記光源基板に接続されて接地される。
【００３１】
本発明の一実施形態において、前記本体部の前記下部は前記下部の側面から突出する固定部材をさらに含んでもよい。前記固定部材の対面は前記ボトムシャーシの前記底面の下面に接触してもよい。
【００３７】
本発明の一実施形態において、前記放熱板の上面は前記コネクタの対面と同一の平面上に配置されてもよい。
【発明の効果】
【００３８】
このような本発明による光源モジュール用コネクタ及びそれを含むバックライトアセンブリによれば、コネクタは光源モジュール部及び光源駆動部を直接収容しているので、光源モジュール部及び光源駆動部を接続する別途の配線を省略できる。よって、バックライトアセンブリの接続を単純化し、製造費用を節減できる。また、バックライトアセンブリの信頼性を向上できる。
【図面の簡単な説明】
【００３９】
【図１】本発明の一実施形態に係るバックライトアセンブリを含む表示装置を示した分解斜視図である。
【図２】図１のバックライトアセンブリのうち、導光板を除いた斜視図である。
【図３】図２のＩ‐Ｉ’線に沿って切断した断面図である。
【図４】図２の光源モジュール部を示した平面図である。
【図５】図２のコネクタを示した斜視図である。
【図６】図２の前記コネクタ及びボトムシャーシの結合構造を示した正面図である。
【図７】図２の前記光源モジュール部の発光ダイオードストリングを示した回路図である。
【図８】図２の光源駆動部及び前記光源モジュール部を示したブロック図である。
【図９】本発明の他の実施形態に係るバックライトアセンブリを示した斜視図である。
【図１０】図９の光源モジュール部を示した平面図である。
【図１１】図９のコネクタを示した斜視図である。
【図１２】本発明のまた他の実施形態に係るバックライトアセンブリを示した斜視図である。
【図１３】図１２のＩＩ‐ＩＩ’線に沿って切断した断面図である。
【図１４】図１２の光源モジュール部を示した平面図である。
【図１５】図１２のコネクタを示した斜視図である。
【図１６】本発明のまた他の実施形態に係るバックライトアセンブリを示した斜視図である。
【図１７】図１６の光源モジュール部を示した平面図である。
【図１８】図１６のコネクタを示した斜視図である。
【発明を実施するための形態】
【００４０】
図１は本発明の一実施形態に係るバックライトアセンブリを含む表示装置を示した分解斜視図である。図２は図１のバックライトアセンブリの斜視図である。
【００４１】
図１及び図２を参照すると、前記表示装置は表示パネル１００、光調節部２００、導光板３００、及びバックライトアセンブリを含む。
【００４２】
表示パネル１００は映像を表示する。表示パネル１００は第１基板１１０、第２基板１２０、液晶層（図示せず）、ゲート駆動部１３０及びデータ駆動部１４０を含む。
【００４３】
第１基板１１０は薄膜トランジスタが形成されている薄膜トランジスタ基板である。第２基板１２０は第１基板１１０と向かい合うように配置される。第２基板１２０はカラーフィルタが形成されているカラーフィルタ基板である。液晶層（図示せず）は第１基板１１０及び第２基板１２０の間に配置される。
【００４４】
ゲート駆動部１３０及びデータ駆動部１４０は第１基板１１０に接続されて、第１基板１１０に駆動信号を出力する。ゲート、データ駆動部１３０、１４０はそれぞれ軟性印刷回路基板（ｆｌｅｘｉｂｌｅ  ｐｒｉｎｔｅｄ  ｃｉｒｃｕｉｔ、ＦＰＣ）、軟性印刷回路基板に装着されている駆動チップ、及び軟性印刷回路基板の一側に接続されている印刷回路基板（ｐｒｉｎｔｅｄ  ｃｉｒｃｕｉｔ  ｂｏａｒｄ、ＰＣＢ）を含む。
【００４５】
例えば、表示パネル１００は長辺及び短辺を有する長方形形状である。
【００４６】
光調節部２００は保護シート２１０、プリズムシート２２０、拡散シート２３０等を含む。
【００４７】
保護シート２１０はスクラッチに弱いプリズムシート２２０を保護する。プリズムシート２２０はその上部面に、三角形状の断面を有し一定間隔に配列されるプリズムを含む。プリズムシート２２０は拡散シート２３０から拡散した光を上部の表示パネル１００の配置平面に垂直した方向に集光する。拡散シート２３０はベース基板とベース基板とに形成された球状のビードを含むコーティング層を含む。拡散シート２３０はバックライトアセンブリから供給される光を拡散させて輝度を均一にする。
【００４８】
図１、図２に示すように、バックライトアセンブリは導光板３００、光源モジュール部４００、光源駆動部５００、コネクタ６００及びボトムシャーシ７００を含む。
【００４９】
導光板３００は光源モジュール部４００から発生した光をガイドする。導光板３００は長方形、又は、くさび（ｗｅｄｇｅ）形の断面形状を有する。導光板３００は表示パネル１００の長辺に対応する第１側面３１０及び第１側面３１０と向かい合う第２側面３２０、表示パネル１００の短辺に対応する第３側面３３０及び第３側面３３０と向かい合う第４側面３４０を含む。
【００５０】
光源モジュール部４００は光を生成して導光板３００に出力する。光源モジュール部４００は導光板３００の１つ以上の側面に隣接して形成される。例えば、図示したように、光源モジュール部４００は導光板３００の第１側面３１０に形成されてもよい。
【００５１】
例えば、光源モジュール部４００は第１側面３１０及び第２側面３２０にそれぞれ形成されてもよい。光源モジュール部４００は第３側面３３０、または、第４側面３４０に形成されてもよい。光源モジュール部４００は第３側面３３０及び第４側面３４０にそれぞれ形成されてもよい。
【００５２】
また、光源モジュール部４００は第１側面〜第４側面３１０〜３４０の全てに形成されてもよい。
【００５３】
光源モジュール部４００は複数個の光源モジュールを含んでもよい。図示したように、光源モジュール部４００は第１光源モジュール４１０及び第２光源モジュール４２０を含んでもよい。第１光源モジュール４１０は導光板３００の第１側面３１０に隣接して、第１側面３１０の中心部から第３側面３３０に向かって配置され、第２光源モジュール４２０は導光板３００の第１側面３１０に隣接して、第１側面３１０の中心部から第４側面３４０に向かって配置される。
【００５４】
光源モジュール部４００は光源基板及び光源基板上に配置される例えば発光ダイオードを含む。光源モジュール部４００については図４及び図７を参照して詳しく後述する。
【００５５】
光源駆動部５００は光源モジュール部４００を駆動する。光源駆動部５００はボトムシャーシ７００の底面７１０の下面と向かい合うように配置される。光源駆動部５００はボトムシャーシ７００の底面７１０の下面と接触して配置され、又は、離隔して配置される。いずれにせよ、光源駆動部５００はボトムシャーシ７００の底面７１０の下面に例えばネジで固結される。光源駆動部５００については図８を参照して詳しく後述する。
【００５６】
コネクタ６００は光源モジュール部４００及び光源駆動部５００をそれぞれ部分的に収容して、光源モジュール部４００と光源駆動部５００を電気的に接続する。
【００５７】
コネクタ６００は光源モジュール部４００の光源端子部が配置された領域に対応して配置される。例えば、光源端子部は導光板３００のいずれかの側面の中心部に隣接して配置される。図示した例では、光源端子部は導光板３００の第１側面３１０の中心部に配置される。
【００５８】
例えば、光源モジュール部４００が導光板３００の一側面にだけ配置される場合、コネクタ６００は光源モジュール部４００の光源端子部及び光源駆動部５００の駆動端子部をそれぞれ収容して、光源モジュール部４００及び光源駆動部５００を直接接続する。
【００５９】
また、光源モジュール部４００が導光板３００の色々な側面に配置される場合、コネクタ６００のうち１つは光源モジュール部４００と光源駆動部５００を直接接続し、他のコネクタ６００は光源モジュール部４００を光源駆動部５００に接続するための軟性印刷回路基板、または、接続配線を収容できる。これとは異なり、光源駆動部５００は光源モジュール部４００の数に対応するように形成されて、全てのコネクタ６００は光源モジュール部４００と光源駆動部５００を直接接続できる。コネクタ６００については図３、図５及び図６を参照して詳しく後述する。
【００６０】
ボトムシャーシ７００は導光板３００の下部に配置されて、表示パネル１００、光調節部２００、及び導光板３００を収容する。ボトムシャーシ７００は底面７１０及び底面７１０から延長される側壁部７２０を含む。光源モジュール部４００は側壁部７２０と接触し、ネジによって側壁部７２０に固定されてもよい。図２では説明の便宜上、側壁部７２０を示さない。
【００６１】
ボトムシャーシ７００にはコネクタ６００が結合される。ボトムシャーシ７００の底面７１０にはコネクタ６００を嵌挿するための開口７３０が形成される。
【００６２】
バックライトアセンブリはボトムシャーシ７００上に配置される放熱板８００をさらに含んでもよい。放熱板８００は光源モジュール部４００から発生する熱を吸収する。
【００６３】
放熱板８００にはコネクタ６００が配置される領域に対応する切開部８１０が形成される。
【００６４】
放熱板８００は光源モジュール部４００が配置される導光板３００の側面、例えば図１の場合、第１側面３１０に近接する領域をカバーするように形成される。これとは異なり、放熱板８００は切開部８１０を除いては導光板３００の全領域をカバーするように形成されてもよい。
【００６５】
図示していないが、バックライトアセンブリはボトムシャーシ７００と放熱板８００の間に配置される反射板をさらに含んでもよい。
【００６６】
図示していないが、表示装置は表示パネル１００上に形成されて、ボトムシャーシ７００と結合するトップシャーシ及び表示装置の結合性を向上させるモールドフレームをさらに含んでもよい。
【００６７】
本実施形態において、光源モジュール部４００が表示パネル１００のエッジ（ｅｄｇｅ）に形成されるエッジ型バックライトアセンブリである場合を例示したが、これに限定されず、光源モジュール部４００が表示パネル１００の下面に配置される直下型バックライトアセンブリの場合もあり得る。
【００６８】
図３は図２のＩ‐Ｉ’線に沿って切断した断面図である。
【００６９】
図２及び図３を参照すると、光源モジュール部４００（図３では第１光源モジュール４１０）の光源端子部は、コネクタ６００の上面に形成された第１開口部６１１を通じてコネクタ６００に挿入、収容される。光源駆動部５００の駆動端子部はコネクタ６００の下部側面に形成された第２開口部６２１を通じてコネクタ６００に挿入、収容される。光源モジュール部４００がコネクタ６００に挿入される方向と光源駆動部５００とがコネクタ６００に挿入される方向はこの場合互いに垂直である。
【００７０】
光源モジュール部４００はコネクタ６００の第１端子６３１と接触する。光源駆動部５００は第１端子６３１に接続されるコネクタ６００の第２端子６３２と接触する。この場合、第１光源モジュール４１０の光源端子部の第１の面は第１端子６３１と接触し、光源駆動部５００の駆動端子部の第１面及び第１面と対向する第２面は第２端子６３２と接触する。
【００７１】
図３に示すように、コネクタ６００の内部は連続した開放空間であり、第１開口部６１１及び第２開口部６２１を介して外部に通じている。
【００７２】
コネクタ６００の第１端子６３１と第２端子６３２は、単一の連続した部材である端子部（後述の図５などの端子部６３０）の両端を構成し、この部材は折り曲げられてコネクタ６００の内部空間に収容され、その弾性により挿入された光源モジュール部４００の光源端子部及び光源駆動部を各々保持すると共に電気的接続を確保する。
【００７３】
コネクタ６００はボトムシャーシ７００を貫通して配置される。ボトムシャーシ７００はコネクタ６００を収容するための開口７３０を含む。コネクタ６００の本体部の上部はボトムシャーシ７００の上に形成され、本体部の下部はボトムシャーシ７００の下に形成される。
【００７４】
本実施例ではコネクタ６００はボトムシャーシ７００の底面を貫通して配置される場合を開示したが、これに限定されず、コネクタ６００はボトムシャーシ７００の側壁部を貫通して配置され、又は、コネクタ６００は底面及び側壁部の双方を貫通して配置されてもよい。
【００７５】
ボトムシャーシ７００上には放熱板８００が配置される。放熱板８００の上面はコネクタ６００の上面と同一平面上に配置されるように形成されており、この場合、導光板３００がコネクタ６００及び放熱板８００の上面に安定的に配置できる。
【００７６】
図４は図２の光源モジュールの詳細を示した平面図である。
【００７７】
図４を参照すると、光源モジュール部４００は光源基板及び複数の発光ダイオードを含む。光源基板は発光ダイオードが配置される光源部及び光源部から延長されて、発光ダイオードを駆動するための入力端子が配置される光源端子部を含む。
【００７８】
本実施形態において、光源モジュール部４００は第１光源モジュール４１０及び第２光源モジュール４２０を含む。第１光源モジュール４１０の第１光源基板は発光ダイオード４１３が配置される第１光源部４１１及び発光ダイオード４１３を駆動するための入力端子４１４が配置される第１光源端子部４１２を含む。第１光源部４１１は第１方向Ｄ１に沿って長く延長されて、第１光源端子部４１２は第１光源部４１１の一端から第１方向Ｄ１と直交する第２方向Ｄ２に延長される。
【００７９】
第２光源モジュール４２０の第２光源基板は発光ダイオード４２３が配置される第２光源部４２１及び発光ダイオード４２３を駆動するための入力端子４２４が配置される第２光源端子部４２２を含む。第２光源部４２１は第１方向Ｄ１に沿って長く延長され、第２光源端子部４２２は第２光源部４２１の一端から第２方向Ｄ２に延長される。
【００８０】
第１及び第２光源端子部４１２、４２２が第１及び第２光源部４１１、４２１と直交する方向に配置されるので、光源モジュールに暗部が形成されず輝度の均一性を向上できる。
【００８１】
図５は図２のコネクタを示した斜視図である。図６は図２のコネクタ及び図２のボトムシャーシの結合構造を示した正面図である。
【００８２】
図５及び図６を参照すると、コネクタ６００は本体部及び端子部６３０を含む。本体部には光源モジュール部４００の光源端子部を収容する第１開口部６１１及び光源駆動部５００の駆動端子部を収容する第２開口部６２１が形成される。端子部６３０は第１開口部６１１に配置される第１端子６３１及び第１端子６３１から延長されて第２開口部６２１に配置される第２端子６３２を含む。
【００８３】
本体部は上部６１０及び下部６２０を含む。本実施例では上部６１０及び下部６２０はそれぞれ直方体形状であり、上部６１０は下部６２０より平面方向の形状が大きく、上部６１０は下部６２０の側面を基準として突出した突出部６１３を有する。  突出部６１３は下部６２０の４つの側面に形成されてもよい。また、突出部６１３は下部６２０の向かい合う側面にのみ形成されてもよい。突出部６１３の下面はボトムシャーシ７００の底面の上面に接触する。
【００８４】
コネクタ６００の本体部はボトムシャーシ７００を貫通して配置される。本体部の上部６１０はボトムシャーシ７００の上に形成され、本体部の下部６２０はボトムシャーシ７００の下に形成される。
【００８５】
本体部の上部６１０には第１端子６３１を挿入するための端子開口部６１２がさらに形成されてもよい。本実施例では、第１開口部６１１は長辺が第１方向Ｄ１に長く延長される長方形形状であり、端子開口部６１２は第１開口部６１１から第１方向と直交する第２方向Ｄ２に長く延長される長方形形状である。端子開口部６１２は複数個形成されてもよい。
【００８６】
第１端子６３１は第１開口部６１１の内部に向かって突出される。第１端子６３１は第１開口部６１１の一面から突出されてもよい。第１端子６３１は第１開口部６１１の長辺に対応する一面から突出されてもよい。第１端子６３１は第１開口部６１１の向かい合う両面から突出されてもよい。第１端子６３１は複数個形成されてもよい。
【００８７】
第１開口部６１１は本体部の上部６１０の上面に形成される。第１開口部６１１は一対の開口を含んでもよい。第１開口部６１１は左側に形成された第１開口及び右側に形成された第２開口を含む。
【００８８】
第２開口部６２１は長辺が第１方向に長く延長される長方形形状であってもよい。第２端子６３２は第２開口部６２１の内部に向かって突出される。第２端子６３２は第２開口部６２１の両面から突出されてもよい。第２端子６３２は第２開口部６２１の長辺に対応する両面から突出されてもよい。第２端子６３２は第２開口部６２１の一面から突出されてもよい。第２端子６３２は複数個形成されてもよい。
【００８９】
本体部の下部６２０は下部６２０の側面から延びた固定部材６４０を含む。固定部材６４０は下部６２０の側面から突出されてもよい。固定部材６４０は下部６２０の向かい合う両側面に形成されてもよい。固定部材６４０は下から上にいくにつれて、広く広がる形状であってもよい。したがって、コネクタ６００はボトムシャーシ７００の開口７３０に上から下の方向にスライディング結合されてもよい。固定部材６４０の対面はボトムシャーシ７００の底面の下面に接触してもよい。
【００９０】
図７は図２の光源モジュールの発光ダイオードストリングを示した回路図である。
【００９１】
図７を参照すると、光源モジュール部４００は発光ダイオードを含む。光源モジュール部４００は直列に接続された発光ダイオードを含む発光ダイオードストリングを含んでもよい。
【００９２】
第１光源モジュール４１０は１つの発光ダイオードストリングＤＤ１〜ＤＤ２を含んでもよい。この場合、発光ダイオードは同時に制御されるので、グローバルディミング方式という。これとは異なり、第１光源モジュール４１０は複数の発光ダイオードストリングを含んでもよい。この場合、発光ダイオードストリングはそれぞれ制御されるので、ローカルディミング方式という。
【００９３】
発光ダイオードストリング内で第１光源端子部４１２に最も近く配置される第１発光ダイオードＤＤ１の量（＋）の電極であるアノードは入力端子に電気的に接続される。発光ダイオードストリングが複数個である場合、各発光ダイオードストリング内で第１光源端子部４１２に最も近く配置される第１発光ダイオードＤＤ１のアノードは入力端子に電気的に接続されてもよい。
【００９４】
発光ダイオードストリング内で第１光源端子部４１２から最も遠く配置される第２発光ダイオードＤＤ２の負（−）の電極であるカソードは光源基板に接続されて接地される。発光ダイオードストリングが複数個である場合、各発光ダイオードストリング内で第１光源端子部４１２から最も遠く配置される第２発光ダイオードＤＤ２のカソードは光源基板に接続されて接地されてもよい。第２発光ダイオードＤＤ２は光源モジュールに形成されたネジ（図示せず）によって接地されてもよい。これとは異なり、第２発光ダイオードＤＤ２のカソードは第１光源端子部４１２のフィードバック電極（図示せず）と接続されてもよい。
【００９５】
同様に、第２光源モジュール４２０は１つの発光ダイオードストリングＤＤ３〜ＤＤ４を含み、複数の発光ダイオードストリングを含んでもよい。
【００９６】
発光ダイオードストリング内で第２光源端子部４２２に最も近く配置される第３発光ダイオードＤＤ３のアノードは入力端子に電気的に接続される。
【００９７】
発光ダイオードストリング内で第２光源端子部４２２から最も遠く配置される第４発光ダイオードＤＤ４のカソードは光源基板に接続されて接地される。
【００９８】
図８は図２の光源駆動部及び光源モジュールを示したブロック図である。
【００９９】
図８を参照すると、光源駆動部５００は電圧生成器５１０及びバランシング回路５２０を含む。電圧生成器５１０は光源モジュール部４００の発光ダイオードを駆動するための電圧を生成する。バランシング回路５２０は光源モジュール部４００の発光ダイオードＤＤ１〜ＤＤ２に一定の電流が流れるように調節する。
【０１００】
特に、発光ダイオードストリングＤＤ１〜ＤＤ２が複数個である場合、バランシング回路５２０は発光ダイオードストリングの輝度の均一性のために各発光ダイオードストリングに流れる電流が同一になるよう調節する。バランシング回路５２０は電流ミラー（ｃｕｒｒｅｎｔ  ｍｉｒｒｏｒ）回路を含んでもよい。
【０１０１】
第１光源モジュール４１０内に配置される第１発光ダイオードＤＤ１のアノード（＋）はバランシング回路５２０に接続される。このような接続構造をホットバランス構造という。この場合、第２発光ダイオードＤＤ２のカソード（−）は光源基板に接続されて接地される。したがって、フィードバック配線を省略して、より簡潔な接続構造を実現することができる。
【０１０２】
これとは異なり、第１発光ダイオードＤＤ１のアノード（＋）は電圧生成部５１０に接続され、第２発光ダイオードＤＤ２のカソード（−）はバランシング回路５２０に接続されてもよい。このような接続構造をコールドバランス構造という。この場合、第１光源端子部４１２は入力端子及びフィードバック端子を含む。
【０１０３】
本実施形態によれば、光源モジュールの光源端子部及び光源駆動部の駆動端子部をコネクタに直接収容して接続配線を省略できる。それによって、製造費用節減及び信頼性を向上できる。また、発光ダイオードは光源基板上に接地されてフィードバック配線を省略できる。
【０１０４】
図９は本発明の他の実施形態に係るバックライトアセンブリを示した斜視図である。
【０１０５】
本実施形態に係るコネクタ及びバックライトアセンブリは光源モジュール部４０１の形状、コネクタ６０１の配置位置及び形状を除いては、図１〜図８のコネクタ及びバックライトアセンブリと同一なので、同じ構成要素については同一の図面符号を有し、反復する説明は省略する。
【０１０６】
図１及び図９を参照すると、バックライトアセンブリは導光板３００、光源モジュール部４０１、光源駆動部５００、コネクタ６０１及びボトムシャーシ７００を含む。
【０１０７】
導光板３００は表示パネル１００の長辺に対応する第１側面３１０及び第１側面３１０と向かい合う第２側面３２０、表示パネル１００の短辺に対応する第３側面３３０及び第３側面３３０と向かい合う第４側面３４０を含む。
【０１０８】
光源モジュール部４０１は導光板３００の第１側面３１０に形成される。光源モジュール部４０１は１つの光源モジュールを含む。図示したように、光源モジュール部４０１は第１光源モジュール４１０のみを含む。第１光源モジュール４１０は導光板３００の第１側面３１０の長さと同一の長さを有してもよい。光源モジュール部４０１については図１０を参照して詳しく後述する。
【０１０９】
コネクタ６０１は光源モジュール部４０１の光源端子部及び光源駆動部５００の駆動端子部をそれぞれ収容して、光源モジュール部４０１と光源駆動部５００を電気的に接続する。
【０１１０】
コネクタ６０１は光源モジュール部４０１の光源端子部が配置された領域に対応して配置される。図示したように、光源端子部は導光板３００の第１側面３１０の一端部に配置されてもよい。コネクタ６０１については、図１１を参照して詳しく後述する。
【０１１１】
ボトムシャーシ７００は導光板３００の下部に配置されて、表示パネル１００、光調節部２００、及び導光板３００を収容する。ボトムシャーシ７００は底面７１０及び底面７１０から延長される側壁部７２０を含む。図９では説明の便宜上、側壁部７２０を図示しない。
【０１１２】
ボトムシャーシ７００はコネクタ６０１と結合する。ボトムシャーシ７００の底面７１０にはコネクタ６０１と結合するための開口７３０が形成される。
【０１１３】
図１０は図９の光源モジュールを示した平面図である。
【０１１４】
図１０を参照すると、光源モジュール部４０１は光源基板及び複数の発光ダイオード４１３を含む。光源基板は発光ダイオード４１３が配置される第１光源部４１１及び、第１光源部４１１から延長され、発光ダイオード４１３を駆動するための入力端子４１４が配置される第１光源端子部４１２を含む。
【０１１５】
本実施形態において、光源モジュール部４０１は第１光源モジュール４１０のみを含む。第１光源モジュール４１０の第１光源基板は発光ダイオード４１３が配置される第１光源部４１１及び発光ダイオード４１３を駆動するための入力端子４１４が配置される第１光源端子部４１２を含む。第１光源部４１１は第１方向Ｄ１に沿って長く延長され、第１光源端子部４１２は第１光源部４１１の一端から第１方向Ｄ１と直交する第２方向Ｄ２に延長される。
【０１１６】
図１１は図９のコネクタを示した斜視図である。
【０１１７】
図１１を参照すると、コネクタ６０１は本体部及び端子部６３０を含む。
【０１１８】
本体部には光源モジュール部４０１を収容する第１開口部６１１及び光源駆動部５００を収容する第２開口部６２１が形成される。端子部６３０は第１開口部６１１に配置される第１端子６３１及び第１端子６３１と接続されて第２開口部６２１に配置される第２端子６３２を含む。
【０１１９】
本体部の上部６１０には第１端子６３１を挿入するための端子開口部６１２がさらに形成されてもよい。
【０１２０】
第１開口部６１１は本体部の上部６１０の上面に形成される。本実施形態において、第１開口部６１１は１つの開口のみを含む。
【０１２１】
本体部の下部６２０は下部６２０の側面から延びた固定部材６４０を含む。固定部材６４０は下部６２０の側面から突出されてもよい。
【０１２２】
図１２は本発明のまた他の実施形態に係るバックライトアセンブリを示した斜視図である。
【０１２３】
本実施形態に係るコネクタ及びバックライトアセンブリは光源モジュール部４０２の形状、コネクタ６０２の形状を除いては、図１〜図８のコネクタ及びバックライトアセンブリと同一なので、同じ構成要素については同一の図面符号を有し、反復する説明は省略する。
【０１２４】
図１及び図１２を参照すると、バックライトアセンブリは導光板３００、光源モジュール部４０２、光源駆動部５００、コネクタ６０２及びボトムシャーシ７００を含む。
【０１２５】
導光板３００は表示パネル１００の長辺に対応する第１側面３１０及び第１側面３１０と向かい合う第２側面３２０、表示パネル１００の短辺に対応する第３側面３３０及び第３側面３３０と向かい合う第４側面３４０を含む。
【０１２６】
光源モジュール部４０２は導光板３００の第１側面３１０に形成される。本実施例では、光源モジュール部４０２は複数個の光源モジュールを含む。図示したように、光源モジュール部４０２は第１光源モジュール４１０及び第２光源モジュール４２０を含む。第１光源モジュール４１０は導光板３００の第１側面３１０に隣接して第１側面の中心部から第３側面に向かって配置され、第２光源モジュール４２０は導光板３００の第１側面に隣接して第１側面の中心部から第４側面に向かって配置される。光源モジュール部４０２については図１４を参照して詳しく後述する。
【０１２７】
コネクタ６０２は光源モジュール部４０２の第１、第２光源端子部４１２、４２２、及び光源駆動部５００の駆動端子部をそれぞれ収容して、光源モジュール部４０２と光源駆動部５００を電気的に接続する。
【０１２８】
コネクタ６０２は光源モジュール部４０２の光源端子部が配置された領域に対応して配置される。図示したように、光源端子部は導光板３００の第１側面３１０の中心部に配置されてもよい。コネクタ６０２については図１３及び図１５を参照して詳しく後述する。
【０１２９】
ボトムシャーシ７００は導光板３００の下部に配置されて、表示パネル１００、光調節部２００、及び導光板３００を収容する。ボトムシャーシ７００は底面７１０及び底面７１０から延長される側壁部７２０を含む。図１２では説明の便宜上側壁部７２０を図示しない。
【０１３０】
ボトムシャーシ７００はコネクタ６０２と結合する。ボトムシャーシ７００の底面７１０にはコネクタ６０２と結合するための開口７３０が形成される。
【０１３１】
図１３は図１２のＩＩ−ＩＩ’線に沿って切断した断面図である。
【０１３２】
図１２及び１３を参照すると、光源モジュール部４０２の光源端子部は、導光板３００の第３、第４側面に平行なコネクタ６０２の一側面に形成された第１開口部６１１を通じてコネクタ６０２に収容される。光源駆動部５００の駆動端子部は、導光板３００の第３、第４側面に直交するコネクタ６０２の他の側面に形成された第２開口部６２１を通じてコネクタ６０２に収容される。光源モジュール部４０２の光源端子部がコネクタ６０２に挿入される方向と光源駆動部５００の駆動端子部がコネクタ６０２に挿入される方向とはこの場合直交する。
【０１３３】
光源モジュール部４０２の光源端子部は、コネクタ６０２の第１端子６３１と接触する。光源駆動部５００の駆動端子部は、第１端子６３１から延長された第２端子６３２と接触する。
【０１３４】
コネクタ６０２はこのように、光源モジュール部４０２及び光源駆動部５００を収容する。コネクタ６０２は光源モジュール部４０２を収容する第１開口部６１１及び光源駆動部５００を収容する第２開口部６２１を含む。
【０１３５】
コネクタ６０２は第１開口部６１１に配置される第１端子６３１及び第１端子６３１と接続されて第２開口部６２１に配置される第２端子６３２を含む。
【０１３６】
光源モジュール部４０２の上面はコネクタ６０２の上面と同一平面上に配置される。
【０１３７】
コネクタ６０２はボトムシャーシ７００を貫通して配置される。ボトムシャーシ７００はコネクタ６０２を収容するための開口７３０を含む。コネクタ６０２の本体部の上部はボトムシャーシ７００の上に形成され、本体部の下部はボトムシャーシ７００の下に形成される。
【０１３８】
図１４は図１２の光源モジュールを示した平面図である。
【０１３９】
図１４を参照すると、光源モジュール部４０２は光源基板及び複数の発光ダイオードを含む。光源基板は発光ダイオードが配置される光源部、及び光源部から延長されて、発光ダイオードを駆動するための入力端子が配置される光源端子部を含む。
【０１４０】
本実施形態において、光源モジュール部４０２は第１光源モジュール４１０及び第２光源モジュール４２０を含む。第１光源モジュール４１０の第１光源基板は発光ダイオード４１３が配置される第１光源部４１１及び発光ダイオード４１３を駆動するための入力端子が配置される第１光源端子部４１２を含む。第１光源部４１１は第１方向Ｄ１に沿って長く延長され、第１光源端子部４１２は第１光源部４１１の一端から第１方向Ｄ１に延長される。
【０１４１】
同様に、第２光源モジュール４２０の第２光源基板は発光ダイオードが配置される第２光源部４２１及び発光ダイオードを駆動するための入力端子が配置される第２光源端子部４２２を含む。第２光源部４２１は第１方向Ｄ１に沿って長く延長され、第２光源端子部４２２は第２光源部４２１の一端から第１方向Ｄ１と反対方向に延長される。
【０１４２】
図１５は図１２のコネクタを示した斜視図である。
【０１４３】
図１２及び１５を参照すると、コネクタ６０２は本体部及び端子部６３０を含む。
【０１４４】
本体部には光源モジュール部４０２の光源端子部４１２、４２２を収容する第１開口部６１１及び光源駆動部５００の駆動端子部を収容する第２開口部６２１が形成される。端子部６３０は第１開口部６１１に配置される第１端子６３１及び第１端子６３１と接続されて第２開口部６２１に配置される第２端子６３２を含む。
【０１４５】
本体部の上部６１０には第１端子６３１を挿入するための端子開口部６１２がさらに形成されてもよい。第１開口部６１１は長辺が第３方向Ｄ３に長く延長される長方形形状であってもよい。
【０１４６】
第１開口部６１１は本体部の上部６１０の側面に形成される。第１開口部６１１は一組の開口からなる。即ち、第１開口部６１１は上部６１０の第１側面６１４に形成された開口及び第１側面６１４と向かい合う第２側面６１５に形成された開口からなり、両開口はコネクタ６０２の上部６１０の中央部に設けた垂直壁により互いに遮断される。
第１及び第２光源モジュール４１０、４２０（厳密には、その第１、第２光源端子部４１２、４２２であるが、以下、このように略する）は第１開口部６１１、即ち、コネクタ６０２の第１側面６１４及び第２側面６１５に設けた一組の開口から各々水平方向に挿入される。例えば、第１光源モジュール４１０はコネクタ６０２に対して第１方向Ｄ１に挿入される。第２光源モジュール４２０はコネクタ６０２に対して第１方向Ｄ１の反対方向に挿入される。
【０１４７】
図示したように、第１開口部６１１の両開口は上部６１０の上面まで延長されてもよい。この場合、第１及び第２光源モジュール４１０、４２０はコネクタ６０２の上面から垂直方向に挿入できる。即ち、第１及び第２光源モジュール４１０、４２０はコネクタ６０２に対して第３方向Ｄ３に挿入される。
【０１４８】
本体部の下部６２０は下部６２０の側面から延びた固定部材６４０を含む。固定部材６４０は下部６２０の側面から突出されてもよい。
【０１４９】
図１６は本発明のまた他の実施形態に係るバックライトアセンブリを示した斜視図である。
【０１５０】
本実施形態に係るコネクタ及びバックライトアセンブリは光源モジュール部４０３の形状、コネクタ６０３の配置位置及び形状を除いては、図１２〜図１５のコネクタ及びバックライトアセンブリと同一なので、同じ構成要素については同一の図面符号を有し、反復する説明は省略する。
【０１５１】
図１及び図１６を参照すると、バックライトアセンブリは導光板３００、光源モジュール部４０３、光源駆動部５００、コネクタ６０３及びボトムシャーシ７００を含む。
【０１５２】
導光板３００は表示パネル１００の長辺に対応する第１側面３１０及び第１側面３１０と向かい合う第２側面３２０、表示パネル１００の短辺に対応する第３側面３３０及び第３側面３３０と向かい合う第４側面３４０を含む。
【０１５３】
光源モジュール部４０３は導光板３００の第１側面３１０に形成される。本実施例では、光源モジュール部４０３は１つの光源モジュールを含む。図示したように、光源モジュール部４０３は第１光源モジュール４１０だけを含む。第１光源モジュール４１０は導光板３００の第１側面３１０に隣接して配置され、第１側面３１０と同じ長さを有してもよい。光源モジュール部４０３については図１７を参照して詳しく後述する。
【０１５４】
コネクタ６０３は光源モジュール部４０３の第１光源端子部４１２及び光源駆動部５００の駆動端子部をそれぞれ収容して、光源モジュール部４０３と光源駆動部５００を電気的に接続する。
【０１５５】
コネクタ６０３は光源モジュール部４０３の第１光源端子部４１２が配置された領域に対応して配置される。図示したように、光源端子部は導光板３００の第１側面３１０の一端部に配置されてもよい。コネクタ６０３については図１８を参照して詳しく後述する。
【０１５６】
ボトムシャーシ７００は導光板３００の下部に配置されて、表示パネル１００、光調節部２００、及び導光板３００を収容する。ボトムシャーシ７００は底面７１０及び底面７１０から延長される側壁部７２０を含む。図１６では説明の便宜上、側壁部７２０を図示しない。
【０１５７】
ボトムシャーシ７００はコネクタ６０３と結合する。ボトムシャーシ７００の底面７１０にはコネクタ６０３と結合するための開口７３０が形成される。
【０１５８】
図１７は図１６の光源モジュールを示した平面図である。
【０１５９】
図１７を参照すると、光源モジュール部４０３は光源基板及び複数の発光ダイオードを含む。光源基板は発光ダイオードが配置される光源部及び光源部から延長されて、発光ダイオードを駆動するための入力端子が配置される光源端子部を含む。
【０１６０】
本実施形態において、光源モジュール部４０３は第１光源モジュール４１０のみを含む。第１光源モジュール４１０の第１光源基板は発光ダイオード４１３が配置される第１光源部４１１及び発光ダイオード４１３を駆動するための入力端子４１４が配置される第１光源端子部４１２を含む。第１光源部４１１は第１方向Ｄ１に沿って長く延長され、第１光源端子部４１２は第１光源部４１１の一端から第１方向Ｄ１に延長される。
【０１６１】
図１８は図１６のコネクタを示した斜視図である。
【０１６２】
図１６及び図１８を参照すると、コネクタ６０３は本体部及び端子部６３０を含む。本体部には光源モジュール部４０３の光源端子部４１２を収容する第１開口部６１１及び光源駆動部５００の駆動端子部を収容する第２開口部６２１が形成される。端子部６３０は第１開口部６１１に配置される第１端子６３１及び第１端子６３１から延長されて第２開口部６２１に配置される第２端子６３２を含む。
【０１６３】
本体部の上部６１０には第１端子６３１を挿入するための端子開口部６１２がさらに形成されてもよい。
【０１６４】
第１開口部６１１は本体部の上部６１０の側面に形成される。本実施形態において、第１開口部６１１は１つの開口のみを含む。第１開口部６１１はコネクタ６０３の上部６１０の第１側面６１４に形成された第１開口を含む。光源モジュール部４０３の光源端子部４１２はコネクタ６０３の第１側面６１４から水平方向に挿入される。例えば、光源モジュール部４０３の光源端子部４１２はコネクタ６０３に対して第１方向Ｄ１に挿入される。
【０１６５】
図示したように、第１開口部６１１は上部６１０の上面まで延長されてもよい。この場合、光源モジュール部４０３の光源端子部４１２はコネクタ６０３の上面から垂直方向に挿入できる。例えば、光源モジュール部４０３はコネクタ６０３に対して第３方向Ｄ３に挿入される。
【０１６６】
本体部の下部６２０は下部６２０の側面から延びた固定部材６４０を含む。固定部材６４０は下部６２０の側面から突出されてもよい。
【産業上の利用可能性】
【０１６７】
以上、説明したように、光源モジュール部の光源端子部及び光源駆動部の駆動端子部をコネクタに直接収容して、接続配線を省略できる。そのため、製造費用の節減及び信頼性を向上できる。また、発光ダイオードは光源の基板上に接地されてフィードバック配線を省略できる。
【０１６８】
以上、添付図面を参照しながら本発明の好適な実施形態に沿って詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【符号の説明】
【０１６９】
１００    表示パネル
１１０    第１基板
１２０    第２基板
１３０    ゲート駆動部
１４０    データ駆動部
２００    光調節部
２１０    保護シート
２２０    プリズムシート
２３０    拡散シート
３００    導光板
３１０、３２０、３３０、３４０    第１、第２、第３、第４側面
４００、４０１、４０２、４０３    光源モジュール部
４１０、４２０    第１、第２光源モジュール
４１１、４２１    第１、第２光源部
４１２、４２２    第１、第２光源端子部
４１３、４２３    発光ダイオード
４１４、４２４    入力端子
５００    光源駆動部
５１０    電圧生成器
５２０    バランシング回路
６００、６０１、６０２、６０３    コネクタ
６１０    上部
６１１    第１開口部
６１２    端子開口部
６１３    突出部
６１４    第１側面
６１５    第２側面
６２０    下部
６２１    第２開口部
６３０    端子部
６３１    第１端子
６３２    第２端子
６４０    固定部材
７００    ボトムシャーシ
７１０    底面
７２０    側壁部
７３０    開口
８００    放熱板
８１０    切開部
【図１】
0005855415.tif 000002
【図２】
0005855415.tif 000003
【図３】
0005855415.tif 000004
【図４】
0005855415.tif 000005
【図５】
0005855415.tif 000006
【図６】
0005855415.tif 000007
【図７】
0005855415.tif 000008
【図８】
0005855415.tif 000009
【図９】
0005855415.tif 000010
【図１０】
0005855415.tif 000011
【図１１】
0005855415.tif 000012
【図１２】
0005855415.tif 000013
【図１３】
0005855415.tif 000014
【図１４】
0005855415.tif 000015
【図１５】
0005855415.tif 000016
【図１６】
0005855415.tif 000017
【図１７】
0005855415.tif 000018
【図１８】
0005855415.tif 000019